(57)【要約】【課題】本考案は、包装時に必要とする包装材料を少なく、品物全体のかさを小さくすることができ、かつ比較的良い視角を調節できる液晶ディスプレイの俯仰調節構造を提供する。【解決手段】本考案は、液晶ディスプレイの俯仰調節構造で、パネルと台座支持アーム端部の連結部に定位蓋を取り付け、該定位蓋内部に凸状のストッパーを設け、定位蓋を取り付けた場合、パネルは一定の範囲内で後方に傾斜した後、内部に設けられた凸状のストッパーが支持アームに当接する状態となる。一方定位蓋が取り外され、パネルが後方へ完全に仰向きとなって壁かけ状態となるとき、定位蓋を１８０度回転させて連結部の他面にセットすることができる。このとき、パネルの前方への傾斜角度調整を行う時、定位蓋内部のストッパーが支持アームの端部に当接することにより、パネルのより前方への傾斜角度調整を制限できるようになる。【選択図】　図２
0003099110.tif 000002
【実用新案登録請求の範囲】
【請求項１】
台座及びパネルからなり、該台座の上面に支持アームを配設し、該支持アームの端部を前記パネルの背面にロール可能に連結させ、該パネルを前記支持アームに対して俯仰傾斜調節ができるようにした液晶ディスプレイの俯仰調節構造において、
前記パネルと前記支持アームとの連結部に定位蓋を取り付け、該定位蓋の片側に欠け口を形成すると共に、該定位蓋の内部に斜面部を有するストッパーを形成し、前記欠け口を前記支持アームの外周面に密着させて被せ、前記パネルを後方に傾斜させた際に前記斜面部が前記支持アームの端部に当接して前記パネルの後方への傾斜を制限することを特徴とする液晶ディスプレイの俯仰調節構造。
【請求項２】
前記定位蓋をパネル上に取り付けるため、前記パネルの背面に多数のロック槽を設け、前記定位蓋には多数のフックを設けることを特徴とする請求項１記載の液晶ディスプレイの俯仰調節構造。
【請求項３】
前記支持アーム端部に回転エレメントを設け、且つ該回転エレメントが前記パネルの背面に固定され、前記パネルと前記支持アームとがロール可能に連結されることを特徴とする請求項１記載の液晶ディスプレイの俯仰調節構造。
【請求項４】
前記ストッパーは、金属材であることを特徴とする請求項１記載の液晶ディスプレイの俯仰調節構造。
【請求項５】
前記定位蓋を取り外し、パネルを後方に完全に仰向きにして壁かけ状態にし、定位蓋を１８０度回転させてパネルと支持アームとの連結部の他面に取り付け、前記パネルの前方への傾斜角度調整を行うとき、前記斜面部が前記支持アームの端面に当接することにより前記パネルのより前方への傾斜角度調整を制限することを特徴とする請求項１記載の液晶ディスプレイの俯仰調節構造。
【考案の詳細な説明】
【０００１】
【考案の属する技術分野】
本考案は、液晶ディスプレイの俯仰調節構造に関するものであり、特にディスプレイパネルと支持アームとの間に定位蓋をセットすることによって、ディスプレイパネルの傾斜角度の調節を制限する液晶ディスプレイの俯仰調節構造に関するものである。
【０００２】
【従来の技術】
通常、市販されているディスプレイのパネルと台座との間の連結部の状態は、ほとんどの場合が固定状態又は一体化された形であることから、いくつかの問題が生じている。その問題としては、先ず、ユーザーはパネル上の画面を見る時、パネルの角度をユーザーにとって一番良い視覚角度に調節することができないことがあり、また、品物出荷時、包装用材料をたくさん使う必要があるほか、品物全体のかさが大きいため、購買者に不便さを感じさせることがある。
【０００３】
【考案が解決しようとする課題】
本考案の目的は、品物全体の包装後のかさを縮減させると共に、ディスプレイの画面を見るときに比較的良い視覚角度を維持できる液晶ディスプレイの俯仰調節構造を提供することである。
【０００４】
【課題を解決するための手段】
本考案の液晶ディスプレイのパネル構造は、台座及びパネルからなり、該台座の上面に支持アームを配設し、該支持アームの端部を前記パネルの背面にロール可能に連結させ、該パネルを前記支持アームに対して俯仰傾斜調節ができるようにした液晶ディスプレイの俯仰調節構造において、前記パネルと前記支持アームとの連結部に定位蓋を取り付け、該定位蓋の片側に欠け口を形成すると共に、該定位蓋の内部に斜面部を有するストッパーを形成し、前記欠け口を前記支持アームの外周面に密着させて被せ、前記パネルを後方に傾斜させた際に前記斜面部が前記支持アームの端部に当接して前記パネルの後方への傾斜を制限することを特徴とし、このため、定位蓋がセットされていない場合、パネルは後方に完全に仰向き状態に調節され、包装のかさを縮減させることができる。また、定位蓋がセットされている場合、パネルを後方に傾斜させていくと、定位蓋内に設けられたストッパーが支持アームの端部に当接するため、無制限に後方へ傾斜させることができない。これによってパネルは後方への傾斜角度範囲が制限され、同時に比較的良い視線角度を維持することができるようになる。
【０００５】
また、前記定位蓋をパネル上に取り付けるため、前記パネルの背面に多数のロック槽を設け、前記定位蓋には多数のフックを設けることと、前記支持アーム端部に回転エレメントを設け、且つ該回転エレメントが前記パネルの背面に固定され、前記パネルと前記支持アームとがロール可能に連結されることと、前記ストッパーは、金属材であることと、前記定位蓋を取り外し、パネルを後方に完全に仰向きにして壁かけ状態にし、定位蓋を１８０度回転させてパネルと支持アームとの連結部の他面に取り付け、前記パネルの前方への傾斜角度調整を行うとき、前記斜面部が前記支持アームの端面に当接することにより前記パネルのより前方への傾斜角度調整を制限することとを付加的な要件として含み、定位蓋が外れ、パネルが後方に完全に倒れて壁に掛けられる状態になった場合、定位蓋を１８０°回転させて連結部の他面にセットすることができる。この場合、パネルを前方に傾斜させて角度調節を行うとき、定位蓋内部のストッパーが支持アームの端面に当接しているため、パネルの前方への角度調節は制限される。
【０００６】
【考案の実施の形態】
本考案の更に一歩進んだ理解のために、以下に具体的な一実施例をあげ、図面を参照して、本考案の構成内容及びその達成した効果を詳しく説明する。
【０００７】
本考案に係る液晶ディスプレイの傾斜度調節構造を図１乃至図１１を用いて説明する。液晶ディスプレイの傾斜度調節構造は、図１に示すように、パネル１、台座２、支持アーム２２、回転エレメント３及び定位蓋４からなる。
【０００８】
図２に示すように、パネル１の背面下方中央部分にはロック部１１が設けられ、該ロック部１１の縁周部には４つのロック槽１１１が形成されている。
【０００９】
台座２の上面には、凸状の支持アーム台座２１が形成され、該支持アーム台座２１の中央部に支持アーム２２が連結されている。該支持アーム２２は、中空金属パイプで形成されている。該支持アーム２２の端部には、回転エレメント３を構成するボルトを支持アーム２２端部のロック孔２２１に連結させ、回転エレメント３がパネル１の背面のロック部１１に取り付けられる。こうしてパネル１は支持アーム２２に対して俯仰傾斜調節ができるようになる。
【００１０】
図３、図４に示すように、定位蓋４は中空の殻体であり、該殻体の片側には欠け口４１が形成され、定位蓋４の底部には４つの凸状のフック４２が形成されている。こうすることによって、定位蓋はパネル１の背面のロック部１１のロック槽１１１に嵌め込んで取り付けることができ、同時に、欠け口４１を支持アーム２２の外周面に密着させて被せることができる。そのほか、定位蓋４内部の側面には、凸状のストッパー４３を形成し、且つ該ストッパー４３の内側には斜面部４３１が形成されている。
【００１１】
図５及び図９に示すように、定位蓋４がパネル１と支持アーム２２との間の連結部に取り付けられていない場合、パネル１を最大限に後方へ傾斜させることができ、よって仰向き状態にすることができる。このような状態を呈することによって、台座２を壁面に固定してパネル１を壁掛け式状態とすることができるほか、品物出荷時における包装のかさを大幅に縮減することができ、更に、包装時に必要とする包装材料を削減できる。
【００１２】
図６に示すように、定位蓋４のフック４２をパネル１の背面ロック部１１のロック槽１１１に嵌め込んで、定位蓋４をパネル１と支持アーム２２との間の連結部に取り付けた場合は、パネル１をある程度（約１５度）後方へ傾斜させることにより、定位蓋４内部に設けられた凸状のストッパー４３の内縁部に形成された斜面部４３１が支持アーム２２の端部に当接することになり、それによって、パネル１は引き続き後方へ傾斜できないように制限される。なお、図６においては、図面の理解を容易にするために、定位蓋４を断面にして示してある。
【００１３】
また、図７に示すように、回転エレメント３の構造設計により、パネル１は前方５度まで調節することができる。このため、定位蓋４を配設させた場合であっても、ユーザーはパネル１の俯仰角度調節を前方５度から後方１５度までの範囲の間の比較的良い視角に調整することができる。一方、定位蓋４を配設させない場合には、パネル１の後方への傾斜角度の調節は、１５度を超えて行うことができ、前述したように壁に掛ける時または出荷包装する時に用いることができる（図５参照）。
【００１４】
図８に示すように、定位蓋４が配設されていない場合は、パネル１の後方への傾斜角度を１５度範囲内に制限することができないが、前方への傾斜角度は、回転エレメント３の構造設計によって、５度の範囲内に制限される。
【００１５】
その他、図１０及び図１１に示すように、定位蓋４が外され、且つパネル１が後方に完全に倒れて仰向け状態となり、壁に掛けられる状態になったとき、定位蓋４を１８０度回転させて、パネル１と支持アーム２２との間の連結部の他面にセットすることもできる。このとき、パネル１の前方への角度調節をある程度行った後、定位蓋４内部のストッパー４３の斜面部４３１が支持アーム２２の端部に当接することによって、パネル１の更なる前方への角度調節ができないように制限される。つまりパネル１はある一定の範囲内においてのみ、前方への傾斜角度を調節できる。
【００１６】
なお、本考案は、上記の実施の形態に限定されるものではなく、同様の思想のもとで変更されたものはすべて本考案の範囲に含まれる。
【００１７】
【考案の効果】
以上述べたように、本考案に係る液晶ディスプレイの俯仰調節構造は、台座及びパネルからなり、該台座の上面に支持アームを配設し、該支持アームの端部を前記パネルの背面にロール可能に連結させ、該パネルを前記支持アームに対して俯仰傾斜調節ができるようにした液晶ディスプレイの俯仰調節構造において、前記パネルと前記支持アームとの連結部に定位蓋を取り付け、該定位蓋の片側に欠け口を形成すると共に、該定位蓋の内部に斜面部を有するストッパーを形成し、前記欠け口を前記支持アームの外周面に密着させて被せ、前記パネルを後方に傾斜させた際に前記斜面部が前記支持アームの端部に当接して前記パネルの後方への傾斜を制限することによって、ディスプレイの画面を見るときに比較的良い視覚角度を維持、即ち、ユーザーが液晶ディスプレイを使用する場合、該定位蓋を取り付けることによりパネルの後方への傾斜角度調節を約１５度以内に制限し、比較的良い視角効果を維持するようにすることができ、また、定位蓋を取り外すことにより、パネルを無制限に角度調節し、後方へ倒して仰向き状態にし、壁に掛けることができ、包装においては、その品物全体の包装後のかさを縮減でき、更に、包装時に必要とする包装材料を削減できるという優れた効果を奏する。
【図面の簡単な説明】
【図１】本考案に係る液晶ディスプレイの俯仰調節構造のパネル、台座、支持アーム、回転エレメント及び定位蓋を分解して示した斜視図である。
【図２】同液晶ディスプレイの俯仰調節構造のパネルと支持アームとの連結部を拡大して示した背面斜視図である。
【図３】同液晶ディスプレイの俯仰調節構造の定位蓋を拡大して示した斜視図である。
【図４】同液晶ディスプレイの俯仰調節構造の定位蓋を示した断面図である。
【図５】同液晶ディスプレイの俯仰調節構造の定位蓋を配設していない場合に、パネルを仰向きにさせた状態を示した側面図である。
【図６】同液晶ディスプレイの俯仰調節構造の定位蓋の内部のストッパーと支持アーム端部とが当接している状態を示し、前記定位蓋を断面で示した側図面である。
【図７】同液晶ディスプレイの俯仰調節構造のパネルを前方へ傾けた状態を示した側図面である。
【図８】同液晶ディスプレイの俯仰調節構造の定位蓋を配設していない場合にパネルを前方へ傾けた状態を示した側面図である。
【図９】同液晶ディスプレイの俯仰調節構造の定位蓋を配設していない場合にパネルを前方へ傾けた状態を示した斜視図である。
【図１０】同液晶ディスプレイの俯仰調節構造の定位蓋を配設していない場合にパネルを前方へ傾けて壁掛け状態にした側面図である。
【図１１】図１０の連結部を拡大して示した側面図である。
【符号の説明】
１　　　　パネル
１１　　　ロック部
１１１　　ロック槽
２　　　　台座
２１　　　支持アーム台座
２２　　　支持アーム
２２１　　ロック孔
３　　　　回転エレメント
４　　　　定位蓋
４１　　　欠け口
４２　　　フック
４３　　　ストッパー
【図１】
0003099110.tif 000003
【図２】
0003099110.tif 000004
【図３】
0003099110.tif 000005
【図４】
0003099110.tif 000006
【図５】
0003099110.tif 000007
【図６】
0003099110.tif 000008
【図７】
0003099110.tif 000009
【図８】
0003099110.tif 000010
【図９】
0003099110.tif 000011
【図１０】
0003099110.tif 000012
【図１１】
0003099110.tif 000013